(57)【特許請求の範囲】
【請求項１】
機体前部に、植立作物を掻き込みながら刈り取る刈取部が昇降可能に備えられた収穫機であって、
前記刈取部に、植立作物を切断する刈取装置と、刈取作物を受け取るデッキと、前記刈取装置の上方を通って前記刈取装置よりも前側まで延びると共に刈幅方向に間隔をあけて設けられる複数の受け部材と、前記デッキに支持されると共に前記刈取装置の下方を通って前記刈取装置よりも前側まで延びて前記刈取装置よりも前側の位置で前記受け部材を下方から支持する複数の支持部材と、が備えられ、
前記刈取装置は、刈幅方向に往復動するバリカン式に構成され、
前記受け部材は、板状部材によって構成され、
前記支持部材のうち前記受け部材の刈幅方向両端部に対応する両部分に、前記受け部材と前記刈取装置との上下間において前後方向に延びて作物をガイドするガイド部が設けられている収穫機。
【請求項２】
前記支持部材に、前記刈取装置の前方で前記刈取装置よりも上側に立ち上がる立ち上がり部が備えられ、
前記ガイド部は、前記立ち上がり部から後方に延びるように、前記立ち上がり部と一体的に形成されている請求項１に記載の収穫機。
【請求項３】
機体前部に、植立作物を掻き込みながら刈り取る刈取部が昇降可能に備えられた収穫機であって、
前記刈取部に、植立作物を切断する刈取装置と、刈取作物を受け取るデッキと、前記刈取装置の上方を通って前記刈取装置よりも前側まで延びると共に刈幅方向に間隔をあけて設けられる複数の受け部材と、前記デッキに支持されると共に前記刈取装置の下方を通って前記刈取装置よりも前側まで延びて前記刈取装置よりも前側の位置で前記受け部材を下方から支持する複数の支持部材と、が備えられ、
前記受け部材は、刈幅方向に山部と谷部が並ぶ断面形状の波板状部材によって構成され、かつ、前部側が先細り形状に形成されている収穫機。
【請求項４】
機体前部に、植立作物を掻き込みながら刈り取る刈取部が昇降可能に備えられた収穫機であって、
前記刈取部に、植立作物を切断する刈取装置と、刈取作物を受け取るデッキと、前記刈取装置の上方を通って前記刈取装置よりも前側まで延びると共に刈幅方向に間隔をあけて設けられる複数の受け部材と、前記デッキに支持されると共に前記刈取装置の下方を通って前記刈取装置よりも前側まで延びて前記刈取装置よりも前側の位置で前記受け部材を下方から支持する複数の支持部材と、植立作物に掻込作用するタインを有する掻込リールと、が備えられ、
隣り合う前記受け部材の間を前記タインが通過可能なように構成され、
前記タインは、断面形状がＴ字形状に形成され、
前記タインに、刈幅方向に沿う横向き部と、刈幅方向に直交する方向に沿う縦向き部と、が備えられ、
前記タインは、前記縦向き部が後方を向く姿勢で備えられている収穫機。
【請求項５】
前記デッキに、刈幅方向に延びて前記刈取装置を支持する横フレームが備えられ、
前記支持部材は、前記刈取装置の下面に沿う状態で前記横フレームに取り付けられている請求項１から４の何れか一項に記載の収穫機。
【請求項６】
前記刈取装置は、刈幅方向に往復動するバリカン式に構成され、
前記受け部材は、板状部材によって構成され、
前記支持部材のうち前記受け部材の刈幅方向両端部に対応する両側部に、前後方向に延びて作物をガイドするガイド面が形成されている請求項１から５の何れか一項に記載の収穫機。
【請求項７】
前記刈取部に、植立作物を掻き込む掻込リールが備えられ、
前記刈取部の前端部のうち刈幅方向の両側部に、植立作物を刈取対象と非刈取対象に分ける一対のデバイダが備えられ、
一対の前記デバイダのうち未刈地側に位置するデバイダに、前記掻込リールの側方に位置して前後方向及び上下方向に平面状に広がる側部メッシュ部材が設けられている請求項１から６の何れか一項に記載の収穫機。
【請求項８】
前記刈取部に、植立作物を掻き込む掻込リールと、前記掻込リールの後方に位置して刈幅方向及び上下方向に平面状に広がる後部メッシュ部材と、が備えられている請求項１から７の何れか一項に記載の収穫機。
【請求項９】
前記刈取部の下部に、接地可能なソリ体が取り付けられ、
前記刈取部を下降させたときに、前記ソリ体が前記刈取部よりも先に接地するように構成されている請求項１から８の何れか一項に記載の収穫機。
【発明の詳細な説明】
【技術分野】
【０００１】
本発明は、機体前部に、植立作物を掻き込みながら刈り取る刈取部が昇降可能に備えられた収穫機に関する。
【背景技術】
【０００２】
上記のような収穫機として、例えば、特許文献１に記載の収穫機が既に知られている。特許文献１に記載の収穫機では、刈取部に、植立作物を切断する刈取装置（文献では「刈刃」）が備えられている。
【先行技術文献】
【特許文献】
【０００３】
【特許文献１】特開２０１３−１２８４６６号公報
【発明の概要】
【発明が解決しようとする課題】
【０００４】
ここで、植立作物を刈取部によって掻き込む際に、刈取部が植立作物に接触すると、作物のうち収穫対象となる部分（以下「収穫対象物」という。）が植立作物から離脱してしまうことがある。特許文献１に記載の収穫機では、収穫対象物が植立作物から離脱すると、収穫対象物が刈取装置の前側の地面に落下してしまって、ロスが生じ易い。
【０００５】
上記状況に鑑み、刈取部における収穫対象物のロスを抑制することができる収穫機が要望されている。
【課題を解決するための手段】
【０００６】
本発明の特徴は、
機体前部に、植立作物を掻き込みながら刈り取る刈取部が昇降可能に備えられた収穫機であって、
前記刈取部に、植立作物を切断する刈取装置と、刈取作物を受け取るデッキと、前記刈取装置の上方を通って前記刈取装置よりも前側まで延びると共に刈幅方向に間隔をあけて設けられる複数の受け部材と、前記デッキに支持されると共に前記刈取装置の下方を通って前記刈取装置よりも前側まで延びて前記刈取装置よりも前側の位置で前記受け部材を下方から支持する複数の支持部材と、が備えられ、
前記刈取装置は、刈幅方向に往復動するバリカン式に構成され、
前記受け部材は、板状部材によって構成され、
前記支持部材のうち前記受け部材の刈幅方向両端部に対応する両部分に、前記受け部材と前記刈取装置との上下間において前後方向に延びて作物をガイドするガイド部が設けられていることにある。
【０００７】
本特徴構成によれば、植立作物を刈取部によって掻き込む際に、刈取部が植立作物に接触して収穫対象物が植立作物から離脱しても、収穫対象物が刈取装置の前側の地面に落下する前に、受け部材によって受け止められることになる。これにより、刈取部における収穫対象物のロスを抑制することができる。また、受け部材が刈取装置よりも前側の位置で支持部材によって下方から支持されていることにより、受け部材のうち支持部材による支持箇所よりも前側の部分に対して上方から収穫対象物が作用しても、受け部材のうち刈取装置の上方に位置する部分が刈取装置から離れる方向に移動することになって、受け部材が刈取装置と干渉することがない。
【０００８】
ここで、稈長の長い作物の場合、刈取作物の稈長をできるだけ短くするために、刈取部を上昇させた状態で刈取作業（高刈り作業）を行うことが多い。本特徴構成によれば、支持部材が刈取装置の下方を通って受け部材を下方から支持していることにより、支持部材が刈取装置の上方を通って受け部材を下方から支持している場合よりも、受け部材を刈取装置に近付け易い。これにより、高刈り作業を行う際に、植立作物のうち受け部材の直ぐ下側の部分を刈取装置によって切断して、刈取作物の稈長を短くすることができる。
ここで、隣り合う受け部材の間に入り込んだ作物が、刈取装置の刈幅方向の往復動によって、受け部材の刈幅方向端部に接触すると、受け部材が変形してしまう虞がある。この点、本特徴構成によれば、隣り合う受け部材の間に入り込んだ作物が、ガイド部によってガイドされることによりスムーズに流れることになって、作物の接触による受け部材の変形を起こり難くすることができる。しかも、受け部材と刈取装置との上下間の隙間を利用して、ガイド部を刈取装置と干渉しない位置に設けることできる。
【０００９】
【００１０】
【００１１】
【００１２】
【００１３】
さらに、本発明において、
前記支持部材に、前記刈取装置の前方で前記刈取装置よりも上側に立ち上がる立ち上がり部が備えられ、
前記ガイド部は、前記立ち上がり部から後方に延びるように、前記立ち上がり部と一体的に形成されていると好適である。
【００１４】
本特徴構成によれば、ガイド部が刈取装置の前方から後方に延びることになって、前後方向の広い範囲の作物をガイド部によってガイドすることができると共に、ガイド部を簡単に設けることができる。
また、本発明の特徴は、
機体前部に、植立作物を掻き込みながら刈り取る刈取部が昇降可能に備えられた収穫機であって、
前記刈取部に、植立作物を切断する刈取装置と、刈取作物を受け取るデッキと、前記刈取装置の上方を通って前記刈取装置よりも前側まで延びると共に刈幅方向に間隔をあけて設けられる複数の受け部材と、前記デッキに支持されると共に前記刈取装置の下方を通って前記刈取装置よりも前側まで延びて前記刈取装置よりも前側の位置で前記受け部材を下方から支持する複数の支持部材と、が備えられ、
前記受け部材は、刈幅方向に山部と谷部が並ぶ断面形状の波板状部材によって構成され、かつ、前部側が先細り形状に形成されていることにある。
本特徴構成によれば、植立作物を刈取部によって掻き込む際に、刈取部が植立作物に接触して収穫対象物が植立作物から離脱しても、収穫対象物が刈取装置の前側の地面に落下する前に、受け部材によって受け止められることになる。これにより、刈取部における収穫対象物のロスを抑制することができる。また、受け部材が刈取装置よりも前側の位置で支持部材によって下方から支持されていることにより、受け部材のうち支持部材による支持箇所よりも前側の部分に対して上方から収穫対象物が作用しても、受け部材のうち刈取装置の上方に位置する部分が刈取装置から離れる方向に移動することになって、受け部材が刈取装置と干渉することがない。
ここで、稈長の長い作物の場合、刈取作物の稈長をできるだけ短くするために、刈取部を上昇させた状態で刈取作業（高刈り作業）を行うことが多い。本特徴構成によれば、支持部材が刈取装置の下方を通って受け部材を下方から支持していることにより、支持部材が刈取装置の上方を通って受け部材を下方から支持している場合よりも、受け部材を刈取装置に近付け易い。これにより、高刈り作業を行う際に、植立作物のうち受け部材の直ぐ下側の部分を刈取装置によって切断して、刈取作物の稈長を短くすることができる。
また、本特徴構成によれば、受け部材の剛性が向上すると共に、隣り合う受け部材の間の隙間が前部側ほど幅広になって、隣り合う受け部材の間に植立作物を入り込み易くすることができる。
また、本発明の特徴は、
機体前部に、植立作物を掻き込みながら刈り取る刈取部が昇降可能に備えられた収穫機であって、
前記刈取部に、植立作物を切断する刈取装置と、刈取作物を受け取るデッキと、前記刈取装置の上方を通って前記刈取装置よりも前側まで延びると共に刈幅方向に間隔をあけて設けられる複数の受け部材と、前記デッキに支持されると共に前記刈取装置の下方を通って前記刈取装置よりも前側まで延びて前記刈取装置よりも前側の位置で前記受け部材を下方から支持する複数の支持部材と、植立作物に掻込作用するタインを有する掻込リールと、が備えられ、
隣り合う前記受け部材の間を前記タインが通過可能なように構成され、
前記タインは、断面形状がＴ字形状に形成され、
前記タインに、刈幅方向に沿う横向き部と、刈幅方向に直交する方向に沿う縦向き部と、が備えられ、
前記タインは、前記縦向き部が後方を向く姿勢で備えられていることにある。
なお、断面形状がＴ字形状には、断面形状が略Ｔ字形状を含むものとする。
本特徴構成によれば、植立作物を刈取部によって掻き込む際に、刈取部が植立作物に接触して収穫対象物が植立作物から離脱しても、収穫対象物が刈取装置の前側の地面に落下する前に、受け部材によって受け止められることになる。これにより、刈取部における収穫対象物のロスを抑制することができる。また、受け部材が刈取装置よりも前側の位置で支持部材によって下方から支持されていることにより、受け部材のうち支持部材による支持箇所よりも前側の部分に対して上方から収穫対象物が作用しても、受け部材のうち刈取装置の上方に位置する部分が刈取装置から離れる方向に移動することになって、受け部材が刈取装置と干渉することがない。
ここで、稈長の長い作物の場合、刈取作物の稈長をできるだけ短くするために、刈取部を上昇させた状態で刈取作業（高刈り作業）を行うことが多い。本特徴構成によれば、支持部材が刈取装置の下方を通って受け部材を下方から支持していることにより、支持部材が刈取装置の上方を通って受け部材を下方から支持している場合よりも、受け部材を刈取装置に近付け易い。これにより、高刈り作業を行う際に、植立作物のうち受け部材の直ぐ下側の部分を刈取装置によって切断して、刈取作物の稈長を短くすることができる。
また、本特徴構成によれば、隣り合う受け部材の間をタインが通過することにより、受け部材がタインの動作を阻害することなく、植立作物をタインによってしっかりと掻き込むことができる。また、植立作物から離脱した収穫対象物が、隣り合う受け部材の間に挟まっても、この収穫対象物をタインによって掻き込むことができる。
また、本特徴構成によれば、タインのうち横向き部と縦向き部との間の角部分に、植立作物が引っ掛かり易くなって、植立作物をタインによって確実に掻き込むことができる。
さらに、本発明において、
前記デッキに、刈幅方向に延びて前記刈取装置を支持する横フレームが備えられ、
前記支持部材は、前記刈取装置の下面に沿う状態で前記横フレームに取り付けられていると好適である。
本特徴構成によれば、横フレームを支持部材の取付け用に利用することにより、支持部材を取り付ける専用の部材を設けずに済み、部品点数を抑えることができる。
【００１５】
さらに、本発明において、
前記刈取装置は、刈幅方向に往復動するバリカン式に構成され、
前記受け部材は、板状部材によって構成され、
前記支持部材のうち前記受け部材の刈幅方向両端部に対応する両側部に、前後方向に延びて作物をガイドするガイド面が形成されていると好適である。
【００１６】
隣り合う受け部材の間に入り込んだ作物が、刈取装置の刈幅方向の往復動によって、受け部材の刈幅方向端部に接触すると、受け部材が変形してしまう虞がある。この点、本特徴構成によれば、隣り合う受け部材の間に入り込んだ作物が、ガイド部によってガイドされることによりスムーズに流れることになって、作物の接触による受け部材の変形を起こり難くすることができる。しかも、支持部材の側部を利用して、広いガイド面を簡単に設けることができる。
【００１７】
【００１８】
【００１９】
【００２０】
【００２１】
【００２２】
【００２３】
さらに、本発明において、
前記刈取部に、植立作物を掻き込む掻込リールが備えられ、
前記刈取部の前端部のうち刈幅方向の両側部に、植立作物を刈取対象と非刈取対象に分ける一対のデバイダが備えられ、
一対の前記デバイダのうち未刈地側に位置するデバイダに、前記掻込リールの側方に位置して前後方向及び上下方向に平面状に広がる側部メッシュ部材が設けられていると好適である。
【００２４】
本特徴構成によれば、未刈地側の植立作物が刈取部側に倒れ込みそうになっても、側部メッシュ部材によって受け止めることができると共に、掻込リールへの植立作物の巻き付きを防止することができる。また、側部メッシュ部材がメッシュ状の部材であることにより、視認性を損なうことなく、作物の案内状況を視認することができる。
【００２５】
さらに、本発明において、
前記刈取部に、植立作物を掻き込む掻込リールと、前記掻込リールの後方に位置して刈幅方向及び上下方向に平面状に広がる後部メッシュ部材と、が備えられていると好適である。
【００２６】
本特徴構成によれば、作物が掻込リールによって後方に跳ね飛ばされても、後部メッシュ部材に当たってデッキ上に落下することになり、作物を回収することができる。また、後部メッシュ部材がメッシュ状の部材であることにより、視認性を損なうことなく、前方の状況を視認することができる。
【００２７】
さらに、本発明において、
前記刈取部の下部に、接地可能なソリ体が取り付けられ、
前記刈取部を下降させたときに、前記ソリ体が前記刈取部よりも先に接地するように構成されていると好適である。
【００２８】
本特徴構成によれば、刈取部と地面との間にソリ体の高さに応じた隙間が生じることになって、刈取部の地面への突っ込みや受け部材の地面への接触を防止することができる。また、機体保管時等にソリ体が刈取部を支えるスタンドの機能を果たして、機体の安定性が良くなる。
【図面の簡単な説明】
【００２９】
【図１】普通型コンバインを示す平面図である。
【図２】普通型コンバインを示す左側面図である。
【図３】刈取部を示す左側面図である。
【図４】掻込リールを示す左側面図である。
【図５】掻込リールを示す正面図である。
【図６】刈取装置及び受け板を示す平面図である。
【図７】刈取装置及び受け板を示す左側面断面図である。
【図８】受け板を示す底面図である。
【図９】受け板を示す背面図である。
【図１０】タインを示す正面図である。
【図１１】タインを示す左側面断面図である。
【図１２】刈取部の左側部を示す平面図である。
【図１３】後部メッシュ部材を示す正面図である。
【図１４】左ソリ体を示す斜視図である。
【図１５】右ソリ体を示す斜視図である。
【図１６】ステーを示す左側面断面図である。
【図１７】ステーを示す斜視図である。
【図１８】ステーを示す平面図である。
【図１９】ステーを示す背面図である。
【図２０】刈取部を上昇させた状態を示す左側面図である。
【図２１】別実施形態に係る刈取部を示す左側面図である。
【発明を実施するための形態】
【００３０】
本発明を実施するための形態について、図面に基づき説明する。なお、以下の説明では、図１に示す矢印Ｆの方向を「機体前側」、矢印Ｂの方向を「機体後側」、図２に示す矢印Ｌの方向を「機体左側」、矢印Ｒの方向を「機体右側」とする。
【００３１】
〔普通型コンバインの全体構成〕
図１及び図２には、本発明に係る「収穫機」としての普通型コンバインを示している。このコンバインは、稲、麦、そば、大豆、トウモロコシ等の作物を収穫することができる。なお、本実施形態では、作物としてトウモロコシを収穫する作業形態を想定している。
【００３２】
このコンバインには、クローラ式の走行装置１と、走行装置１で支持される機体フレーム２と、が備えられている。機体フレーム２の前部には、植立作物を掻き込みながら刈り取る刈取部３が昇降可能に設けられている。刈取部３の後方には、運転キャビン４が設けられている。運転キャビン４の後方には、刈取作物を脱穀する脱穀装置５及び収穫粒を貯留するグレンタンク６が機体左右方向に隣り合う状態で設けられている。グレンタンク６には、グレンタンク６内の収穫粒を排出するアンローダ７が設けられている。
【００３３】
〔刈取部〕
刈取部３には、植立作物を刈取対象と非刈取対象に分ける左右一対のデバイダ９Ｌ・９Ｒと、植立作物を掻き込む掻込リール１０と、植立作物を切断する刈取装置１１と、刈取作物を掻き込む掻込オーガ１２と、刈取作物を脱穀装置５に搬送するフィーダ１３と、刈取フレーム１４と、複数の受け板１５（本発明に係る「受け部材」に相当）と、が備えられている。刈取部３では、植立作物が左右一対のデバイダ９Ｌ・９Ｒによって刈取対象と非刈取対象に分けられて、刈取対象の植立作物が掻込リール１０によって掻き込まれる。そして、掻込リール１０で掻き込まれた植立作物が刈取装置１１によって切断されて、刈取作物が掻込オーガ１２によって掻き込まれて、フィーダ１３によって脱穀装置５に搬送される。
【００３４】
刈取部３には、側部メッシュ部材１６と、後部メッシュ部材１７と、が備えられている。刈取部３の下部のうち左端部と右端部には、左ソリ体１８と右ソリ体１９がそれぞれ取り付けられている。左ソリ体１８と右ソリ体１９は、それぞれ本発明に係る「ソリ体」に相当する。
【００３５】
〔運転キャビン〕
運転キャビン４の前面には、フロントガラス２０が設けられている。運転キャビン４には、運転座席２１、メータパネル２２、サイドパネル２３、操向レバー２４等が備え付けられている。運転座席２１の前方、メータパネル２２の下方及び操向レバー２４の下方には、それぞれ空間が形成されている。
【００３６】
〔フィーダ〕
フィーダ１３は、機体左右方向に延びる軸心Ｘ１周りで揺動可能に機体に支持されている。フィーダ１３と機体フレーム２に亘って、油圧シリンダ（図示省略）が設けられている。フィーダ１３が前記油圧シリンダによって軸心Ｘ１周りで揺動されて、刈取部３が昇降される。
【００３７】
〔刈取フレーム〕
刈取フレーム１４には、左右一対の側板３０Ｌ・３０Ｒと、刈取作物を受け取るデッキ３１と、後板３２と、が備えられている。デッキ３１の前端部には、刈幅方向に延びて刈取装置１１を支持する横フレーム３３がボルト固定されている。
【００３８】
〔デバイダ〕
左側のデバイダ９Ｌは、刈取フレーム１４のうち左側の側板３０Ｌの前端部に設けられている。右側のデバイダ９Ｒは、刈取フレーム１４のうち右側の側板３０Ｒの前端部に設けられている。通常の回り刈り（左回りの回り刈り）では、右側のデバイダ９Ｒが既刈地側に位置し、左側のデバイダ９Ｌが未刈地側に位置することになる。
【００３９】
〔掻込オーガ〕
掻込オーガ１２は、刈取フレーム１４のうち左右一対の側板３０Ｌ・３０Ｒに回転可能に支持されている。掻込オーガ１２は、刈取作物を左スクリュ羽根３９及び右スクリュ羽根４０によってフィーダ１３の前方に横送り搬送して、掻込フィンガー４１によってフィーダ１３に掻き込むように構成されている。
【００４０】
〔掻込リール〕
図３から図５に示すように、掻込リール１０は、その回転軸１０ａを介して、リールフレーム２５に回転可能に支持されている。リールフレーム２５は、その回転軸２５ａが刈取フレーム１４のうち後板３２にステー２５ｂによって取り付けられて、機体左右方向に延びる軸心Ｘ２周りで揺動可能に刈取フレーム１４に支持されている。リールフレーム２５と刈取フレーム１４に亘って、左右一対の油圧シリンダ２６が設けられている。リールフレーム２５が油圧シリンダ２６によって軸心Ｘ２周りで揺動されて、掻込リール１０が昇降される。
【００４１】
回転軸１０ａの左右両端部には、それぞれリールディスク２７が設けられている。左右のリールディスク２７の各頂部に亘って、タイン支持ロッド２８が架設されている。タイン支持ロッド２８には、植立作物に掻込作用するタイン２９が複数取り付けられている。タイン２９は、掻込リール１０の回転に拘わらず、タイン支持ロッド２８から下方に延出した姿勢に保持される。複数のタイン２９は、刈幅方向に間隔Ｄ（等間隔）をあけて設けられている。
【００４２】
〔刈取装置〕
図６及び図７に示すように、刈取装置１１は、刈幅方向に往復動するバリカン式に構成されている。刈取装置１１には、刈幅方向に往復動する刈刃３４と、刈刃３４を駆動操作するナイフバー３５と、刈刃３４を保持するナイフクリップ３６と、が備えられている。ナイフクリップ３６は、横フレーム３３にボルト３７及びナット３８によって固定されている。刈刃３４がナイフバー３５によって刈幅方向に往復動されて、植立作物が刈刃３４によって切断される。
【００４３】
〔タイン〕
図１０及び図１１に示すように、タイン２９は、断面形状がＴ字形状（略Ｔ字形状を含む）に形成されている。タイン２９は、例えば、金属製の部材によって構成されている。タイン２９には、刈幅方向に沿う横向き部２９Ａと、刈幅方向に直交する方向に沿う縦向き部２９Ｂと、が備えられている。タイン２９は、縦向き部２９Ｂが後方を向く姿勢でタイン支持ロッド２８に取り付けられている。
【００４４】
縦向き部２９Ｂの上端部には、プレート４２が溶接固定されている。プレート４２のうち横向き部２９Ａ側の面には、溶接ナット４３が設けられている。タイン支持ロッド２８には、タイン支持ロッド２８に沿って延びるチャンネル部材４４が設けられている。タイン２９のうちプレート４２側の端部をチャンネル部材４４に嵌め込んで、チャンネル部材４４に対して後方からボルト５９によって固定している。
【００４５】
〔側部メッシュ部材〕
図３及び図１２に示すように、側部メッシュ部材１６は、未刈側に位置する左側のデバイダ９Ｌに設けられている。側部メッシュ部材１６は、刈取フレーム１４のうち左側の側板３０Ｌにおける上面と前面に取り付けられている。
【００４６】
側部メッシュ部材１６は、掻込リール１０の左側方に位置して前後方向及び上下方向に平面状に広がるように構成されている。側部メッシュ部材１６は、その前端位置が左右一対のデバイダ９Ｌ・９Ｒよりも前側の位置に設定され、かつ、その後端位置が刈取フレーム１４の後端部に対応する位置に設定され、かつ、その上端位置が掻込リール１０（下降状態の掻込リール１０）よりも上側の位置に設定され、かつ、その下端位置が刈取フレーム１４の下端部に対応する位置に設定されている。側部メッシュ部材１６が油圧シリンダ２６を横外方から覆って、油圧シリンダ２６への植立作物の巻き付きを防止している。側部メッシュ部材１６の網目の大きさは、運転キャビン４からの視認性を損なわない程度の大きさに設定されている。
【００４７】
側部メッシュ部材１６には、第一ガイド部材４５と、第二ガイド部材４６と、が取り付けられている。第一ガイド部材４５は、掻込リール１０の近傍まで延びて、植立作物を掻込リール１０に案内する。第二ガイド部材４６は、刈取装置１１の近傍まで延びて、植立作物を刈取装置１１に案内する。
【００４８】
側部メッシュ部材１６がメッシュ状の部材であることにより、視認性を損なうことなく、作物の案内状況を視認（例えば、図２のＲ１の範囲）することができる。なお、範囲Ｒ１は、例示であり、運転者の体格や姿勢、目線等によって多少変動する。
【００４９】
〔後部メッシュ部材〕
図３及び図１３に示すように、後部メッシュ部材１７は、掻込リール１０の後方に位置して刈幅方向及び上下方向に平面状に広がるように構成されている。後部メッシュ部材１７は、刈取フレーム１４のうち後板３２における上面に取り付けられている。後部メッシュ部材１７は、その上端位置が掻込リール１０（下降状態の掻込リール１０）よりも上側の位置に設定され、その左右両端位置が刈取フレーム１４の左右両端部に対応する位置に設定されている。後部メッシュ部材１７は、側面視において、側部メッシュ部材１６の後辺部と略平行な姿勢となっている。後部メッシュ部材１７の網目の大きさは、運転キャビン４からの視認性を損なわない程度の大きさに設定されている。
【００５０】
これにより、トウモロコシ房状体（トウモロコシの粒等）が掻込リール１０や掻込オーガ１２の回転によって後方に跳ね飛ばされても、後部メッシュ部材１７に当たって刈取フレーム１４（デッキ３１）上に落下することになり、トウモロコシ房状体を回収することができる。
【００５１】
また、後部メッシュ部材１７がメッシュ状の部材であることにより、視認性を損なうことなく、運転キャビン４内における上述の空間（運転座席２１の前方、メータパネル２２の下方及び操向レバー２４の下方の各空間）を通して、運転者が運転座席２１から前方を視認（例えば、図１のＲ２の範囲）したり、掻込オーガ１２の掻込状況、刈取装置１１の刈跡、左側のデバイダ９Ｌの条合わせ状況、右側のデバイダ９Ｒの条合わせ状況等を視認（例えば、図１及び図２のＲ３の範囲）したりすることができる。なお、範囲Ｒ２、Ｒ３は、例示であり、運転者の体格や姿勢、目線等によって多少変動する。
【００５２】
〔左ソリ体〕
図１４に示すように、左ソリ体１８には、底板部４７が備えられている。底板部４７は、その前端部が前上がりに傾斜すると共に、その後端部が後上がりに傾斜するように形成されている。底板部４７の前部と後部には、前取付け板部４８と後取付け板部４９がそれぞれ立設されている。
【００５３】
前取付け板部４８は、刈取フレーム１４のうち左側の側板３０Ｌの前端部にボルト固定されている。後取付け板部４９は、刈取フレーム１４のうちデッキ３１の左端部にボルト固定されている。前取付け板部４８と後取付け板部４９に亘って、連結部５０が設けられている。後取付け板部４９と底板部４７に亘って、リブ５１が設けられている。
【００５４】
〔右ソリ体〕
図１５に示すように、右ソリ体１９には、底板部５２が備えられている。底板部５２は、その前端部が前上がりに傾斜すると共に、その後端部が後上がりに傾斜するように形成されている。底板部５２の前部と後部には、前取付け板部５３と後取付け板部５４がそれぞれ立設されている。
【００５５】
前取付け板部５３は、刈取フレーム１４のうち右側の側板３０Ｒの前端部にボルト固定されている。後取付け板部５４は、刈取フレーム１４のうちデッキ３１の右端部にボルト固定されている。前取付け板部５３と後取付け板部５４に亘って、連結部５５が設けられている。連結部５５の後端部は、当て板５６に当接されている。
【００５６】
これにより、図１に示すように、刈取部３を下降させたときに、左ソリ体１８及び右ソリ体１９が刈取部３よりも先に接地することになる。これにより、刈取部３と地面との間に左ソリ体１８及び右ソリ体１９の高さに応じた隙間が生じることになって、刈取部３の地面への突っ込みをや受け板１５の地面への接触を防止することができる。
【００５７】
〔受け板〕
図６及び図７に示すように、複数の受け板１５は、刈幅方向に間隔Ｄ（等間隔）をあけて設けられている。すなわち、複数の受け板１５の間隔Ｄは、複数のタイン２９の間隔Ｄ（図５参照）と同じ間隔に設定されている。また、隣り合う受け板１５の隙間Ｇは、植立作物から離脱したトウモロコシ房状体を受け止めることができる程度において、タイン２９（横向き部２９Ａ）の幅（刈幅方向の長さ）Ｂ（図５参照）よりも大きく設定されている。
【００５８】
これにより、隣り合う受け板１５の間をタイン２９が通過することにより、受け板１５がタイン２９の動作を阻害することなく、植立作物をタイン２９によってしっかりと掻き込むことができる。また、植立作物から離脱したトウモロコシ房状体が、隣り合う受け板１５の間に挟まっても、このトウモロコシ房状体をタイン２９によって掻き込むことができる。
【００５９】
受け板１５は、刈刃３４に対して略平行な状態（厳密には、刈刃３４に対して若干前上がりに傾斜する状態）で刈刃３４の上方を通って刈刃３４よりも前側まで延びている。受け板１５の前端位置は、左右一対のデバイダ９Ｌ・９Ｒよりも前側に突出しない範囲で、できるだけ前方に位置するように設定されている。受け板１５は、ステー５７（本発明に係る「支持部材」に相当）にボルト５８によって片持ち状態で固定されている。
【００６０】
図８及び図９に示すように、受け板１５は、刈幅方向に山部１５ｂ、１５ｄと谷部１５ａ、１５ｃが並ぶ断面形状の波板状部材（例えば、金属製の部材）によって構成され、かつ、前部側が先細り形状（具体的には、鋭角な三角形状）に形成されている。受け板１５には、第一谷部１５ａと、左右一対の第一山部１５ｂと、左右一対の第二谷部１５ｃと、左右一対の第二山部１５ｄと、が形成されている。受け板１５は、その中心Ｃ（刈幅方向の中心）に対して対称な形状に形成されている。
【００６１】
第一谷部１５ａは、その底部が突起状に形成されている。第二谷部１５ｃは、第一谷部１５ａよりも深く、その底部が平面状に形成されている。第二谷部１５ｃの後部には、ボルト５８に対応するボルト孔１５ｅが形成されている。第二谷部１５ｃの下面のうちボルト孔１５ｅに対応する部分には、補強用のプレート１５ｆが取り付けられている。
【００６２】
第一山部１５ｂは、その頂部が突起状に形成されている。第二山部１５ｄは、第一山部１５ｂよりも高く、その頂部が平面状に形成されている。
【００６３】
本実施形態では、受け板１５の先端部の剛性を向上させるべく、左右一対の第一山部１５ｂの頂部の間隔を小さくして、第一谷部１５ａ及び左右一対の第一山部１５ｂが受け板１５の前端部まで届くようにしていると共に、ボルト５８による固定強度を向上させるべく、左右一対の第二谷部１５ｃの底部を幅広にして、左右一対のボルト孔１５ｅの間隔が大きくなるようにしている。
【００６４】
〔ステー〕
図１６から図１９に示すように、ステー５７は、刈刃３４の下方を通って刈刃３４よりも前側まで延びて刈刃３４よりも前側の位置で受け板１５を下方から支持している。ステー５７には、左右一対の延出部５７Ａと、取付け部５７Ｂと、左右一対のガイド部５７Ｃと、が形成されている。ステー５７は、例えば、金属製の部材によって構成されている。
【００６５】
ステー５７は、刈刃３４の下面に沿う状態で、横フレーム３３にボルト３７及びナット３８によって固定されている。その際、複数のステー５７のうちナイフクリップ３６の位置に対応するステー５７は、ナイフクリップ３６と共に横フレーム３３にボルト３７及びナット３８によって固定されている。なお、複数のステー５７の全てが、ナイフクリップ３６と共締めされていてもよい。
【００６６】
延出部５７Ａは、刈刃３４の下方を通って刈刃３４よりも前側まで延びている。左右一対の延出部５７Ａの後端部は、連結部５７Ｄによって連結されている。延出部５７Ａの後端部には、ボルト３７に対応するボルト孔５７ａが形成されていると共に、後方に突出する当接部５７Ｅが形成されている。当接部５７Ｅが横フレーム３３に当接することにより、横フレーム３３に対するステー５７の固定状態が安定する。
【００６７】
延出部５７Ａの前端部には、刈刃３４よりも上側に立ち上がる立ち上がり部５７Ｆが形成されている。延出部５７Ａの横外側面には、前後方向に延びて作物（隣り合う受け板１５の間に入り込んだ作物）をガイドするガイド面５７Ｇが形成されている。延出部５７Ａの上部には、ナイフバー３５との干渉を防ぐための凹部５７ｃが形成されている。
【００６８】
取付け部５７Ｂには、受け板１５の後端部がボルト５８によって固定されている。取付け部５７Ｂは、左右一対の立ち上がり部５７Ｆに亘るように、立ち上がり部５７Ｆと一体的に形成されている。取付け部５７Ｂには、ボルト５８に対応する左右一対のボルト孔５７ｂが形成されている。
【００６９】
ガイド部５７Ｃは、受け板１５の両横端部（刈幅方向両端部）に対応する両位置に設けられて、受け板１５と刈刃３４との上下間において、前後方向に延びて作物（隣り合う受け板１５の間に入り込んだ作物）をガイドする。ガイド部５７Ｃは、立ち上がり部５７Ｆから後方に延びるように、立ち上がり部５７Ｆと一体的に形成されている。ガイド部５７Ｃと延出部５７Ａとの間には、刈刃３４が入り込む溝５７ｄが形成されている。
【００７０】
〔刈取部の高刈り作業〕
図２０に示すように、トウモロコシＡを収穫する場合、稈長が長いことから、刈取部３を上昇させた状態で刈取作業（高刈り作業）を行うことになる。そして、この場合、植立作物を掻込リール１０によって掻き込む際に、掻込リール１０が植立作物に接触してトウモロコシ房状体Ａａが植立作物から離脱しても、トウモロコシ房状体Ａａが刈取装置１１の前側の地面に落下する前に、受け板１５によって受け止められることになる。この状態では、受け板１５は、前上がりの傾斜姿勢となっている。そして、受け板１５上のトウモロコシ房状体Ａａは、隣り合う受け板１５の間を通過するタイン２９によって掻き込まれて回収される。
【００７１】
また、刈取部３を上昇させた状態では、後部メッシュ部材１７が掻込リール１０と同等の高さとなっている。その際、後部メッシュ部材１７がメッシュ状の部材であることにより、視認性を損なうことなく、運転者が運転座席２１から前方を視認（例えば、図２０のＲ２の範囲）することができる。
【００７２】
ここで、トウモロコシの場合、稈が太くて硬いと共に、高刈り作業により残稈の高さも高くなる。そうすると、残稈が機体フレーム２の下側の油圧ホース（図示省略）やハーネス（図示省略）に引っ掛かったりして、これらが破損することが懸念される。そこで、このような事態を回避するべく、前記油圧ホースや前記ハーネスを部分的に又は全体的に覆ってこれらを保護するカバー（図示省略）を設けている。
【００７３】
〔別実施形態〕
（１）図２１に示すように、未刈側に位置する左側のデバイダ９Ｌに、メッシュ状のデバイダ１６０を取り付けてもよい。ここで、仮に、デバイダが樹脂製の透明板によって構成されている場合、刈取作業によって透明板に擦り傷が付いて、視認性が低下し易い。しかし、デバイダ１６０がメッシュ状の部材であることにより、作物の案内状況を視認することができると共に、視認性が低下し難い。また、掻込リール１０への植立作物の巻き付きを防止することができる。
【００７４】
（２）上記実施形態では、作物としてトウモロコシを収穫する作業形態を想定しているが、稲、麦、そば、大豆等の作物を収穫する作業形態であってもよい。
【００７５】
（３）ステー５７の形状や材質は、上記実施形態に係る形状や材質に限らず、種々の形状や材質を採用することができる。
【００７６】
（４）上記実施形態では、受け板１５の支持構造として、ステー５７と横フレーム３３による支持構造を採用しているが、その他の支持構造を採用してもよい。
【００７７】
（５）上記実施形態では、受け板１５が波板状部材によって構成されているが、例えば、平板状部材によって構成されていてもよいし、あるいは、円弧形状の板状部材によって構成されていてもよい。すなわち、受け板１５の形状や材質は、上記実施形態に係る形状や材質に限らず、種々の形状や材質を採用することができる。
【００７８】
（６）上記実施形態では、タイン２９は、断面形状がＴ字形状に形成されているが、爪式のタインによって構成されていてもよい。
【００７９】
（７）上記実施形態では、タイン２９は、金属製の部材によって構成されているが、樹脂製の部材によって構成されていてもよい。
【産業上の利用可能性】
【００８０】
本発明は、稲、麦、そば、大豆、トウモロコシ等の作物を収穫するコンバインに利用可能である。
【符号の説明】
【００８１】
３  刈取部
９Ｌ  デバイダ
９Ｒ  デバイダ
１０  掻込リール
１１  刈取装置
１５  受け板（受け部材）
１５ａ  第一谷部（谷部）
１５ｂ  第一山部（山部）
１５ｃ  第二谷部（谷部）
１５ｄ  第二山部（山部）
１６  側部メッシュ部材
１７  後部メッシュ部材
１８  左ソリ体（ソリ体）
１９  右ソリ体（ソリ体）
２９  タイン
２９Ａ  横向き部
２９Ｂ  縦向き部
３１  デッキ
３３  横フレーム
５７  ステー（支持部材）
５７Ｃ  ガイド部
５７Ｆ  立ち上がり部
５７Ｇ  ガイド面
【図１】
0006521790.tif 000002
【図２】
0006521790.tif 000003
【図３】
0006521790.tif 000004
【図４】
0006521790.tif 000005
【図５】
0006521790.tif 000006
【図６】
0006521790.tif 000007
【図７】
0006521790.tif 000008
【図８】
0006521790.tif 000009
【図９】
0006521790.tif 000010
【図１０】
0006521790.tif 000011
【図１１】
0006521790.tif 000012
【図１２】
0006521790.tif 000013
【図１３】
0006521790.tif 000014
【図１４】
0006521790.tif 000015
【図１５】
0006521790.tif 000016
【図１６】
0006521790.tif 000017
【図１７】
0006521790.tif 000018
【図１８】
0006521790.tif 000019
【図１９】
0006521790.tif 000020
【図２０】
0006521790.tif 000021
【図２１】
0006521790.tif 000022